(57)【要約】無線通信を容易にする方法であって：第一遠隔無線局から、第一無線チャネルで、第一メッセージを受信する段階と；第二遠隔無線局へ、第二無線チャネルで、前記第一メッセージを送信する段階と；前記第二遠隔無線局から、第三無線チャネルで、第二メッセージを受信する段階と；前記第一遠隔無線局へ、第四無線チャネルで、前記第二メッセージを送信する段階と；を含む、無線通信を容易にする方法を提供する。
2013506320.tif 000002
【特許請求の範囲】
【請求項１】
無線通信を容易にする方法であって：
無線信号リピータにおいて、第一遠隔無線局から、第一無線チャネルで、第一メッセージを用いて符号化された第一無線信号を受信する段階と；
前記第一無線信号を受信した後に、前記無線信号リピータから第二遠隔無線局へ、前記第一無線チャネルと異なる第二無線チャネルで、前記第一メッセージを用いて符号化した第二無線信号を送信する段階と；
前記無線信号リピータにおいて、前記第二遠隔無線局から、前記第一及び第二無線チャネルと異なる第三無線チャネルで、第二メッセージを用いて符号化された第三無線信号を受信する段階と；
前記第三無線信号を受信した後に、前記無線信号リピータから前記第一遠隔無線局へ、前記第一、第二及び第三無線チャネルと異なる第四無線チャネルで、前記第二メッセージを用いて符号化した第四無線信号を送信する段階と；
を有する、方法。
【請求項２】
前記第一、第二、第三及び第四無線チャネルは、それぞれ異なる第一、第二、第三及び第四無線周波数帯域で、周波数分割多重される、
請求項１に記載の方法。
【請求項３】
前記第一及び第四無線チャネルは、第一無線周波数帯域で時分割多重され、
前記第二及び第三無線チャネルは、前記第一無線周波数帯域と異なる第二無線周波数帯域で時分割多重される、
請求項１に記載の方法。
【請求項４】
前記無線信号リピータにおいて、前記第一、第二、第三及び第四の無線チャネルのそれぞれの無線周波数帯域と異なる構成用無線周波数帯域の構成情報信号の中の符号化された構成情報を受信する段階をさらに有する、
請求項１乃至３何れか一項に記載の方法。
【請求項５】
前記構成用無線周波数帯域は、略５７ＧＨｚと略６４ＧＨｚとの間にある、
請求項４に記載の方法。
【請求項６】
前記第一、第二、第三及び第四無線チャネルは、それぞれ略５７ＨＧｚと略６４ＧＨｚとの間の無線周波数を有する、
請求項１乃至５何れか一項に記載の方法。
【請求項７】
前記第二無線信号を送信する段階は、前記第一無線信号を増幅する段階を有し、
前記第四無線信号を送信する段階は、前記第三無線信号を増幅する段階を有する、
請求項１乃至６何れか一項に記載の方法。
【請求項８】
前記第二無線信号を送信する段階は、
前記第一無線信号から前記第一メッセージをデジタル処理によって復号化する段階と、
前記第二無線信号のために、復号化された前記第一メッセージを符号化する段階と
を有し、
前記第四無線信号を送信する段階は、
前記第三無線信号から前記第二メッセージをデジタル処理によって復号化する段階と、
前記第四無線信号のために、復号化された前記第二メッセージを符号化する段階と
を有する、
請求項１乃至６何れか一項に記載の方法。
【請求項９】
前記無線信号リピータにおける、前記第一無線信号の、前記第一無線信号のノイズへの強さの割合を表す第一信号対雑音比を決定する段階と、
前記無線信号リピータにおける、前記第三無線信号の、前記第三無線信号のノイズへの強さの割合を表す第二信号対雑音比を決定する段階と、
をさらに有し、
前記第一信号対雑音比が、第一基準を満たす場合には、前記第二無線信号を送信する段階は、前記第一無線信号を増幅する段階を有し、
前記第一信号対雑音比が、前記第一基準を満たさない場合には、前記第二無線信号を送信する段階は、
前記第一無線信号から前記第一メッセージをデジタル処理によって復号化する段階と、
前記第二無線信号のために、復号化された前記第一メッセージを符号化する段階と、
を有し、
前記第二信号対雑音比が、第二基準を満たす場合には、前記第四無線信号を送信する段階は、前記第三無線信号を増幅する段階を有し、
前記第二信号対雑音比が、前記第二基準を満たさない場合には、前記第四無線信号を送信する段階は、
前記第三無線信号から前記第二メッセージをデジタル処理によって復号化する段階と、
前記第四無線信号のために、復号化された前記第二メッセージを符号化する段階と、
を有する、
請求項１乃至６何れか一項に記載の方法。
【請求項１０】
前記第一信号対雑音比は、第一閾値を超える場合に、前記第一基準を満たし、
前記第一信号対雑音比は、前記第一閾値を超えない場合に、前記第一基準を満たさず、
前記第二信号対雑音比は、第二閾値を超える場合に、前記第二基準を満たし、
前記第二信号対雑音比は、前記第二閾値を超えない場合に、前記第二基準を満たさない、
請求項９に記載の方法。
【請求項１１】
前記無線信号リピータにおいて、前記第二無線信号を送信する前に、前記第一遠隔無線局から、前記第二無線チャネルで、前記第一メッセージを用いて符号化された第五無線信号を受信する段階であって、前記第一無線信号は、前記第五無線信号より強い、段階と；
前記第一無線信号が前記第五無線信号より強いことを決定するために、前記第一及び第五無線信号のそれぞれの信号強度を比較する段階と；
をさらに有し、
前記第二無線信号を送信する段階は、前記第一無線信号が前記第五無線信号より強いと決定したことに応じて、前記第二無線信号のために、前記第一無線チャネルの代わりに前記第二無線チャネルを選択する段階を有する、
請求項１乃至１０何れか一項に記載の方法。
【請求項１２】
前記無線信号リピータにおいて、前記第一遠隔無線局から、前記第一無線チャネルで、第三メッセージを用いて符号化された第六無線信号を受信する段階と；
前記第六無線信号を受信した後に、前記第一、第二、第三及び第四無線チャネルと異なる第五無線チャネルで、前記第三メッセージを用いて符号化した第七無線信号を、第三遠隔無線局へと送信する段階と；
前記無線信号リピータにおいて、前記第三遠隔無線局から、前記第五無線チャネルで、第四メッセージを用いて符号化された第八無線信号を受信する段階と；
前記第八無線信号を受信した後に、前記第四無線チャネルで、前記第四メッセージを用いて符号化した第九無線信号を、前記第一遠隔無線局へと送信する段階と；
をさらに有する、請求項１乃至１１何れか一項に記載の方法。
【請求項１３】
前記第五無線チャネルは、略５ＧＨｚより低い無線周波数を有する、
請求項１２に記載の方法。
【請求項１４】
前記第六無線信号を受信する段階は、前記第三遠隔無線局と関連付けられた前記第一無線チャネルのサブチャネルで、前記第六無線信号を受信する段階を有し；
前記第七無線信号を送信する段階は、前記第三遠隔無線局と関連付けられた前記第五無線チャネルのサブチャネルで、前記第七無線信号を送信する段階を有し；
前記第八無線信号を受信する段階は、前記第三遠隔無線局と関連付けられた前記第五無線チャネルの前記サブチャネルで、前記第八無線信号を受信する段階を有し；
前記第九無線信号を送信する段階は、前記第三遠隔無線局と関連付けられた前記第四無線チャネルのサブチャネルで、前記第九無線信号を送信する段階を有する；
請求項１２又は１３に記載の方法。
【請求項１５】
前記第六無線信号は、前記第三遠隔無線局を示す宛先のデータを含む宛先フィールドを含む、
請求項１２又は１３に記載の方法。
【請求項１６】
前記第二遠隔無線局において、前記無線信号リピータから前記第二無線信号を受信する段階と；
前記第二無線信号を受信した後に、前記第一無線チャネルで、前記第二遠隔無線局から第四遠隔無線局へと、前記第一メッセージを用いて符号化した第十無線信号を送信する段階と；
をさらに有する、請求項１乃至１５何れか一項に記載の方法。
【請求項１７】
前記第二遠隔局において、前記第三無線信号を送信する前に、前記第四遠隔局から、前記第四無線チャネルで、前記第二メッセージを用いて符号化された第十一無線信号を受信する段階
をさらに有する、請求項１６に記載の方法。
【請求項１８】
第一遠隔無線局から、第一無線チャネルで、第一メッセージを用いて符号化された第一無線信号を受信するための手段と；
前記第一無線信号を受信した後に、前記第一無線チャネルと異なる第二無線チャネルで、前記第一メッセージを用いて符号化した第二無線信号を、第二遠隔無線局へと送信するための手段と；
前記第二遠隔無線局から、前記第一及び第二無線チャネルと異なる第三無線チャネルで、第二メッセージを用いて符号化された第三無線信号を受信するための手段と；
前記第三無線信号を受信した後に、前記第一、第二及び第三無線チャネルと異なる第四無線チャネルで、前記第二メッセージを用いて符号化した第四無線信号を、前記第一遠隔無線局へと送信するための手段と；
を有する、無線信号リピータ装置。
【請求項１９】
異なる第一、第二、第三及び第四無線チャネルで、第一及び第二遠隔無線局との無線通信を容易にするためのインターフェースと；
前記インターフェースと通信するプロセッサと；
を有する無線信号リピータ装置であって、
前記プロセッサは：
前記インターフェースにより、前記第一遠隔無線局から、前記第一無線チャネルで、第一メッセージを用いて符号化された第一無線信号を受信し；
前記第一無線信号を受信した後、前記インターフェースに、前記第二無線チャネルで、前記第一メッセージを用いて符号化した第二無線信号を、前記第二遠隔無線局へと送信させ；
前記インターフェースにより、前記第二遠隔無線局から、前記第三無線チャネルで、第二メッセージを用いて符号化された第三無線信号を受信し；
前記第三無線信号を受信した後、前記インターフェースに、前記第四無線チャネルで、前記第二メッセージを用いて符号化した第四無線信号を、前記第一遠隔無線局へと送信させる；
よう構成される、無線信号リピータ装置。
【請求項２０】
前記第一、第二、第三及び第四無線チャネルは、それぞれ、異なる第一、第二、第三及び第四無線周波数帯域で、周波数分割多重される、
請求項１９に記載の無線信号リピータ装置。
【請求項２１】
前記第一及び第四無線チャネルは、第一無線周波数帯域で時分割多重され、
前記第二及び第三無線チャネルは、前記第一無線周波数帯域と異なる第二無線周波数帯域で時分割多重される、
請求項１９に記載の無線信号リピータ装置。
【請求項２２】
前記プロセッサは、前記インターフェースにより、前記第一、第二、第三及び第四の無線チャネルのそれぞれの無線周波数帯と異なる構成用無線周波数帯域の構成情報信号の中の符号化された構成情報を受信するようさらに構成される、
請求項１９乃至２１何れか一項に記載の無線信号リピータ装置。
【請求項２３】
前記構成用無線周波数帯域は、略５７ＧＨｚと略６４ＧＨｚとの間にある、
請求項２２に記載の無線信号リピータ装置。
【請求項２４】
前記第一、第二、第三及び第四無線チャネルは、それぞれ略５７ＨＧｚと略６４ＧＨｚとの間の無線周波数を有する、
請求項１９乃至２３何れか一項に記載の無線信号リピータ装置。
【請求項２５】
前記プロセッサは、前記インターフェースに、前記第一無線信号を増幅することにより、前記第二無線信号を送信させるよう構成され；
前記プロセッサは、前記インターフェースに、前記第三無線信号を増幅することにより、前記第四無線信号を送信させるよう構成される；
請求項１９乃至２４何れか一項に記載の無線信号リピータ装置。
【請求項２６】
前記プロセッサは、前記インターフェースに、前記第一無線信号から前記第一メッセージをデジタル処理によって復号化し、前記第二無線信号のために、復号化された前記第一メッセージを符号化することによって、前記第二無線信号を送信させるよう構成され；
前記プロセッサは、前記インターフェースに、前記第三無線信号から前記第二メッセージをデジタル処理によって復号化し、前記第四無線信号のために、復号化された前記第二メッセージを符号化することによって、前記第四無線信号を送信させるよう構成される；
請求項１９乃至２４何れか一項に記載の無線信号リピータ装置。
【請求項２７】
前記プロセッサは、前記インターフェースにおける、前記第一無線信号の、前記第一無線信号のノイズへの強さの割合を表す第一信号対雑音比を決定するようさらに構成され；
前記プロセッサは、前記第一信号対雑音比が第一基準を満たす場合には、前記インターフェースに、前記第一無線信号を増幅することにより、前記第二無線信号を送信させるよう構成され；
前記プロセッサは、前記第一信号対雑音比が前記第一基準を満たさない場合には、前記インターフェースに、前記第一無線信号から前記第一メッセージをデジタル処理によって復号化し、さらに、前記第二無線信号のために、復号化された前記第一メッセージを符号化することにより、前記第二無線信号を送信させるよう構成され；
前記プロセッサは、前記インターフェースにおける、前記第三無線信号の、前記第三無線信号のノイズへの強さの割合を表す第二信号対雑音比を決定するようさらに構成され；
前記プロセッサは、前記第二信号対雑音比が第二基準を満たす場合には、前記インターフェースに、前記第三無線信号を増幅することにより、前記第四無線信号を送信させるよう構成され；
前記プロセッサは、前記第二信号対雑音比が前記第二基準を満たさない場合には、前記インターフェースに、前記第三無線信号から前記第二メッセージをデジタル処理によって復号化し、さらに、前記第四無線信号のために、復号化された前記第二メッセージを符号化することにより、前記第四無線信号を送信させるよう構成される；
請求項１９乃至２４何れか一項に記載の無線信号リピータ装置。
【請求項２８】
前記第一信号対雑音比は、第一閾値を超える場合に、前記第一基準を満たし；
前記第一信号対雑音比は、前記第一閾値を超えない場合に、前記第一基準を満たさず；
前記第二信号対雑音比は、第二閾値を超える場合に、前記第二基準を満たし；
前記第二信号対雑音比は、前記第二閾値を超えない場合に、前記第二基準を満たさない；
請求項２７に記載の無線信号リピータ装置。
【請求項２９】
前記プロセッサは：
前記第二無線信号を送信する前に、前記第一遠隔無線局から、前記第二無線チャネルで、前記第一メッセージを用いて符号化され、かつ、前記第一無線信号と同じ強さでない第五無線信号を、前記インターフェースにより受信し；
前記第一及び第五無線信号の、それぞれの信号強度を比較し；
前記第一無線信号が、前記第五無線信号より強い場合に、前記第二無線信号のために、前記第一無線チャネルの代わりに前記第二無線チャネルを選択する；
ようさらに構成される、請求項１９乃至２８何れか一項に記載の無線信号リピータ装置。
【請求項３０】
前記プロセッサは：
前記インターフェースにより、前記第一遠隔無線局から、前記第一無線チャネルで、第三メッセージを用いて符号化された第六無線信号を受信し；
前記第六無線信号を受信した後に、前記インターフェースに、前記第一、第二、第三及び第四無線チャネルと異なる第五無線チャネルで、前記第三メッセージを用いて符号化した第七無線信号を、第三遠隔無線局へと送信させ；
前記インターフェースにより、前記第三遠隔無線局から、前記第五無線チャネルで、第四メッセージを用いて符号化された第八無線信号を受信し；
前記第八無線信号を受信した後に、前記インターフェースに、前記第四無線チャネルで、前記第四メッセージを用いて符号化した第九無線信号を、前記第一遠隔無線局へと送信させる；
ようさらに構成される、請求項１９乃至２９何れか一項に記載の無線信号リピータ装置。
【請求項３１】
前記第五無線チャネルは、略５ＧＨｚより低い無線周波数を有する、
請求項３０に記載の無線信号リピータ装置。
【請求項３２】
前記プロセッサは、前記第三遠隔無線局と関連付けられた前記第一無線チャネルのサブチャネルで、前記第六無線信号を受信するよう構成され；
前記プロセッサは、前記第三遠隔無線局と関連付けられた前記第五無線チャネルのサブチャネルで、前記第七無線信号を送信するよう構成され；
前記プロセッサは、前記第三遠隔無線局と関連付けられた前記第五無線チャネルの前記サブチャネルで、前記第八無線信号を受信するよう構成され；
前記プロセッサは、前記第三遠隔無線局と関連付けられた前記第四無線チャネルのサブチャネルで、前記第九無線信号を送信するよう構成される；
請求項３０又は３１に記載の無線信号リピータ装置。
【請求項３３】
前記第六無線信号は、宛先のデータを含む宛先フィールドを含み；
前記プロセッサは、前記第六無線信号の前記宛先フィールドが、前記第三遠隔無線局を示す宛先のデータを含むとき、前記第六無線信号の受信に応じて、前記インターフェースに、前記第七無線信号を送信させるよう構成される；
請求項３０又は３１に記載の無線信号リピータ装置。
【請求項３４】
無線通信方法であって：
移動局において、第一遠隔無線局から、第一無線チャネルで、第一無線信号を受信する段階と；
前記第一無線チャネルと関連付けられた、前記第一無線チャネルと異なる第二無線チャネルで、前記移動局から前記第一遠隔無線局へ、第二無線信号を送信する段階と；
前記移動局において、第二遠隔無線局から、前記第一及び第二無線チャネルと異なる第三無線チャネルで、第三無線信号を受信する段階と；
前記第三無線チャネルと関連付けられた、前記第一、第二及び第三無線チャネルと異なる第四無線チャネルで、前記移動局から前記第二遠隔無線局へ、第四無線信号を送信する段階と；
を有する、無線通信方法。
【請求項３５】
前記第一、第二、第三及び第四無線チャネルは、それぞれ異なる第一、第二、第三及び第四無線周波数帯域で、周波数分割多重される、
請求項３４に記載の無線通信方法。
【請求項３６】
前記第一及び第二無線チャネルは、第一無線周波数帯域で時分割多重され、
前記第三及び第四無線チャネルは、前記第一無線周波数帯域と異なる第二無線周波数帯域で時分割多重される、
請求項３４に記載の無線通信方法。
【請求項３７】
前記移動局において、前記第一、第二、第三及び第四の無線チャネルのそれぞれの無線周波数帯と異なる構成用無線周波数帯域の構成情報信号の中の符号化された構成情報を受信する段階をさらに有する、
請求項３４乃至３６何れか一項に記載の無線通信方法。
【請求項３８】
前記構成用無線周波数帯域は、略５７ＧＨｚと略６４ＧＨｚとの間にある、
請求項３７に記載の無線通信方法。
【請求項３９】
前記第一、第二、第三及び第四無線チャネルは、それぞれ、略５７ＨＧｚと略６４ＧＨｚとの間の無線周波数を有する、
請求項３４乃至３８何れか一項に記載の無線通信方法。
【請求項４０】
移動局装置であって：
第一遠隔無線局から、第一無線チャネルで、第一無線信号を受信するための手段と；
前記第一無線チャネルと関連付けられた、前記第一無線チャネルと異なる第二無線チャネルで、前記第一遠隔無線局へ第二無線信号を送信するための設備と；
前記第一及び第二無線チャネルと異なる第三無線チャネルで、第二遠隔無線局から第三無線信号を受信するための手段と；
前記第三無線チャネルと関連付けられた、前記第一、第二及び第三無線チャネルと異なる第四無線チャネルで、第四無線信号を、前記第二遠隔無線局へ送信するための手段と；
を有する、移動局装置。
【請求項４１】
異なる第一、第二、第三及び第四無線チャネルで、第一及び第二遠隔無線局との無線通信を容易にするためのインターフェースと；
前記インターフェースと通信するプロセッサと；
を有する移動局装置であって、
前記プロセッサは：
前記インターフェースにより、第一遠隔無線局から、第一無線チャネルで、第一無線信号を受信し；
前記インターフェースに、前記第一無線チャネルと関連付けられた、前記第一無線チャネルと異なる第二無線チャネルで、第二無線信号を、前記第一遠隔無線局へと送信させ；
前記インターフェースにより、第二遠隔無線局から、前記第一及び第二無線チャネルと異なる第三無線チャネルで、第三無線信号を受信し；
前記インターフェースに、前記第三無線チャネルと関連付けられた、前記第一、第二及び第三無線チャネルと異なる第四無線チャネルで、第四無線信号を、前記第二遠隔無線局へと送信させる；
よう構成される、移動局装置。
【請求項４２】
前記第一、第二、第三及び第四無線チャネルは、それぞれ、異なる第一、第二、第三及び第四無線周波数帯域で、周波数分割多重される、
請求項４１に記載の移動局装置。
【請求項４３】
前記第一及び第二無線チャネルは、第一無線周波数帯域で時分割多重され、
前記第三及び第四無線チャネルは、前記第一無線周波数帯域と異なる第二無線周波数帯域で時分割多重される、
請求項４１に記載の移動局装置。
【請求項４４】
前記プロセッサは、前記インターフェースにより、前記第一、第二、第三及び第四の無線チャネルのそれぞれの無線周波数帯と異なる構成用無線周波数帯域の構成情報信号の中の符号化された構成情報を受信するようさらに構成される、
請求項４１乃至４３何れか一項に記載の移動局装置。
【請求項４５】
前記構成用無線周波数帯域は、略５７ＧＨｚと略６４ＧＨｚとの間にある、
請求項４４に記載の移動局装置。
【請求項４６】
前記第一、第二、第三及び第四無線チャネルは、それぞれ略５７ＨＧｚと略６４ＧＨｚとの間の無線周波数を有する、
請求項４１乃至４５何れか一項に記載の移動局装置。
【発明の詳細な説明】
【技術分野】
【０００１】
本発明は、一般に無線通信に関連し、特には、複数の無線チャネルを含む無線通信方法及び該方法を実装した装置に関する。
【背景技術】
【０００２】
無線通信のための数多くの規格が知られている。例えば、ＧＳＭ（Global  System  for  Mobile  Communications）規格は、携帯電話のための無線通信規格であり、およそ３８０ＭＨｚから２ＧＨｚの範囲の無線周波数を規定する。携帯電話のための、他の無線通信規格は、ＴＤＭＡ（Time  Division  Multiple  Access）規格やＣＤＭＡ（Code  Division  Multiple  Access）規格を含み、これらの規格は、一般に、およそ２．５ＧＨｚより低い無線周波数をさらに規定する。ＩＥＥＥ（Institute  of  Electrical  and  Electronics  Engineers）８０２．１１及び８０２．１６規格は、略５ＧＨｚより低い周波数を有する無線信号を規定する、他の通信規格である。これらの規格は、一般に、相対的に低い無線周波数における無線信号を規定する。そして、一般に、低い無線周波数は、高い無線周波数より、より低い動作帯域幅となる。
【発明の概要】
【発明が解決しようとする課題】
【０００３】
しかしながら、高い無線周波数は、一般に、低い無線周波数より、より短い範囲を有し、環境の干渉（例えば、雨、酸素吸収のような）に敏感である。そのような短い範囲は、共に近接する、無線周波数リピータを必要とする。しかし、共に近接する既知のリピータを配置することは、リピータの信号間の干渉を、不利に引き起こす可能性がある。従って、無線通信のための多くの既知の規格は、そのような高い無線周波数の不利益を回避し、商用の無線ハードウェアを使用するために、相対的に低い無線周波数で無線信号を規定しているが、それによって低い帯域幅を不利にもたらし、利用可能な無線周波数帯に不利に制限される。
【課題を解決するための手段】
【０００４】
一つの例示的な実施形態に従って、無線通信を容易にする方法が提供される。当該方法は：無線信号リピータにおいて、第一遠隔無線局から、第一無線チャネルで、第一メッセージを用いて符号化された第一無線信号を受信する段階と；前記第一無線信号を受信した後に、前記無線信号リピータから第二遠隔無線局へ、前記第一無線チャネルと異なる第二無線チャネルで、前記第一メッセージを用いて符号化した第二無線信号を送信する段階と；前記無線信号リピータにおいて、前記第二遠隔無線局から、前記第一及び第二無線チャネルと異なる第三無線チャネルで、第二メッセージを用いて符号化された第三無線信号を受信する段階と；前記第三無線信号を受信した後に、前記無線信号リピータから前記第一遠隔無線局へ、前記第一、第二及び第三無線チャネルと異なる第四無線チャネルで、前記第二メッセージを用いて符号化した第四無線信号を送信する段階と；を含む。
【０００５】
前記第一、第二、第三及び第四無線チャネルは、それぞれ異なる第一、第二、第三及び第四無線周波数帯域で、周波数分割多重され得る。
【０００６】
前記第一及び第四無線チャネルは、第一無線周波数帯域で時分割多重され、前記第二及び第三無線チャネルは、前記第一無線周波数帯域と異なる第二無線周波数帯域で時分割多重され得る。
【０００７】
本方法は、前記無線信号リピータにおいて、前記第一、第二、第三及び第四の無線チャネルのそれぞれの無線周波数帯域と異なる構成用無線周波数帯域（configuration  radio  frequency  band）の構成情報信号の中の符号化された構成情報を受信する段階をさらに含む。
【０００８】
前記構成用無線周波数帯域は、略５７ＧＨｚと略６４ＧＨｚとの間であり得る。
【０００９】
前記第一、第二、第三及び第四無線チャネルは、それぞれ略５７ＨＧｚと略６４ＧＨｚとの間の無線周波数を有し得る。
【００１０】
前記第二無線信号を送信する段階は、前記第一無線信号を増幅する段階を含み、前記第四無線信号を送信する段階は、前記第三無線信号を増幅する段階を含み得る。前記第二無線信号を送信する段階は、前記第一無線信号から前記第一メッセージをデジタル処理によって復号化する段階と、前記第二無線信号のために、復号化された前記第一メッセージを符号化する段階と
を含み、前記第四無線信号を送信する段階は、前記第三無線信号から前記第二メッセージをデジタル処理によって復号化する段階と、前記第四無線信号のために、復号化された前記第二メッセージを符号化する段階とを含む。
【００１１】
本方法は、前記無線信号リピータにおける、前記第一無線信号の、前記第一無線信号のノイズへの強さの割合を表す第一信号対雑音比を決定する段階と、前記無線信号リピータにおける、前記第三無線信号の、前記第三無線信号のノイズへの強さの割合を表す第二信号対雑音比を決定する段階と、をさらに含み得る。前記第一信号対雑音比が、第一基準を満たす場合には、前記第二無線信号を送信する段階は、前記第一無線信号を増幅する段階を含み得る。前記第一信号対雑音比が、前記第一基準を満たさない場合には、前記第二無線信号を送信する段階は、前記第一無線信号から前記第一メッセージをデジタル処理によって復号化する段階と、前記第二無線信号のために、復号化された前記第一メッセージを符号化する段階とを含み得る。前記第二信号対雑音比が第二基準を満たす場合には、前記第四無線信号を送信する段階は、前記第三無線信号を増幅する段階を含み得る。前記第二信号対雑音比が前記第二基準を満たさない場合には、前記第四無線信号を送信する段階は、前記第三無線信号から前記第二メッセージをデジタル処理によって復号化する段階と、前記第四無線信号のために、復号化された前記第二メッセージを符号化する段階とを含み得る。
【００１２】
前記第一信号対雑音比は、第一閾値を超える場合に、前記第一基準を満たし、前記第一信号対雑音比は、前記第一閾値を超えない場合に、前記第一基準を満たさない。前記第二信号対雑音比は、第二閾値を超える場合に、前記第二基準を満たし、前記第二信号対雑音比は、前記第二閾値を超えない場合に、前記第二基準を満たさない。
【００１３】
本方法は：前記無線信号リピータにおいて、前記第二無線信号を送信する前に、前記第一遠隔無線局から、前記第二無線チャネルで、前記第一メッセージを用いて符号化された第五無線信号を受信する段階であって、前記第一無線信号は、前記第五無線信号より強い、段階と；前記第一無線信号が前記第五無線信号より強いことを決定するために、前記第一及び第五無線信号のそれぞれの信号強度を比較する段階と、をさらに含み得る。前記第二無線信号を送信する段階は、前記第一無線信号が前記第五無線信号より強いことを決定したことに応じて、前記第二無線信号のために、前記第一無線チャネルの代わりに前記第二無線チャネルを選択する段階
を含み得る。
【００１４】
本方法は：前記無線信号リピータにおいて、前記第一遠隔無線局から、前記第一無線チャネルで、第三メッセージを用いて符号化された第六無線信号を受信する段階と；前記第六無線信号を受信した後に、前記第一、第二、第三及び第四無線チャネルと異なる第五無線チャネルで、前記第三メッセージを用いて符号化した第七無線信号を、第三遠隔無線局へと送信する段階と；前記無線信号リピータにおいて、前記第三遠隔無線局から、前記第五無線チャネルで、第四メッセージを用いて符号化された第八無線信号を受信する段階と；前記第八無線信号を受信した後に、前記第四無線チャネルで、前記第四メッセージを用いて符号化した第九無線信号を、前記第一遠隔無線局へと送信する段階と；をさらに含み得る。
【００１５】
前記第五無線チャネルは、略５ＧＨｚより低い無線周波数を有し得る。
【００１６】
前記第六無線信号を受信する段階は、前記第三遠隔無線局と関連付けられた前記第一無線チャネルのサブチャネルで、前記第六無線信号を受信する段階を含み得る。前記第七無線信号を送信する段階は、前記第三遠隔無線局と関連付けられた前記第五無線チャネルのサブチャネルで、前記第七無線信号を送信する段階を含み得る。前記第八無線信号を受信する段階は、前記第三遠隔無線局と関連付けられた前記第五無線チャネルの前記サブチャネルで、前記第八無線信号を受信する段階を含み得る。前記第九無線信号を送信する段階は、前記第三遠隔無線局と関連付けられた前記第四無線チャネルのサブチャネルで、前記第九無線信号を送信する段階を含み得る。
【００１７】
前記第六無線信号は、前記第三遠隔無線局を示す宛先のデータを含む宛先フィールドを含み得る。
【００１８】
本方法は、前記第二遠隔無線局において、前記無線信号リピータから前記第二無線信号を受信する段階と、前記第二無線信号を受信した後に、前記第一無線チャネルで、前記第二遠隔無線局から第四遠隔無線局へと、前記第一メッセージを用いて符号化した第十無線信号を送信する段階とをさらに含む。
【００１９】
本方法は、前記第二遠隔局において、前記第三無線信号を送信する前に、前記第四遠隔局から、前記第四無線チャネルで、前記第二メッセージを用いて符号化された第十一無線信号を受信する段階をさらに含み得る。
【００２０】
別の例示的な実施形態に従って、第一遠隔無線局から、第一無線チャネルで、第一メッセージを用いて符号化された第一無線信号を受信するための設備と；前記第一無線信号を受信した後に、前記第一無線チャネルと異なる第二無線チャネルで、前記第一メッセージを用いて符号化した第二無線信号を、第二遠隔無線局へと送信するための設備と；前記第二遠隔無線局から、前記第一及び第二無線チャネルと異なる第三無線チャネルで、第二メッセージを用いて符号化された第三無線信号を受信するための設備と；前記第三無線信号を受信した後に、前記第一、第二及び第三無線チャネルと異なる第四無線チャネルで、前記第二メッセージを用いて符号化した第四無線信号を、前記第一遠隔無線局へと送信するための設備と；を有する無線信号リピータ装置が提供される。
【００２１】
別の例示的な実施形態に従って、異なる第一、第二、第三及び第四無線チャネルで、第一及び第二遠隔無線局との無線通信を容易にするためのインターフェースと；前記インターフェースと通信するプロセッサと；を含む無線信号リピータ装置が提供される。前記プロセッサは：前記インターフェースにより、前記第一遠隔無線局から、前記第一無線チャネルで、第一メッセージを用いて符号化された第一無線信号を受信し；前記第一無線信号を受信した後、前記インターフェースに、前記第二無線チャネルで、前記第一メッセージを用いて符号化した第二無線信号を、前記第二遠隔無線局へと送信させ；前記インターフェースにより、前記第三無線チャネルで、前記第二遠隔無線局から、第二メッセージを用いて符号化された第三無線信号を受信し；前記インターフェースに、前記第三無線信号を受信した後、前記第四無線チャネルで、前記第二メッセージを用いて符号化した第四無線信号を、前記第一遠隔無線局へと送信させる；よう構成される。
【００２２】
前記第一、第二、第三及び第四無線チャネルは、それぞれ、異なる第一、第二、第三及び第四無線周波数帯域で、周波数分割多重され得る。
【００２３】
前記第一及び第四無線チャネルは、第一無線周波数帯で時分割多重され、
前記第二及び第三無線チャネルは、前記第一無線周波数帯と異なる第二無線周波数帯で時分割多重され得る。
【００２４】
前記プロセッサは、前記インターフェースにより、前記第一、第二、第三及び第四の無線チャネルのそれぞれの無線周波数帯と異なる構成用無線周波数帯域の構成情報信号の中の符号化された構成情報を受信するようさらに構成され得る。
【００２５】
前記構成用無線周波数帯域は、略５７ＧＨｚと略６４ＧＨｚの間であり得る。
【００２６】
前記第一、第二、第三及び第四無線チャネルは、それぞれ略５７ＨＧｚと略６４ＧＨｚとの間の無線周波数を有し得る。
【００２７】
前記プロセッサは、前記インターフェースに、前記第一無線信号を増幅することにより、前記第二無線信号を送信させるよう構成され、さらに、前記プロセッサは、前記インターフェースに、前記第三無線信号を増幅することにより、前記第四無線信号を送信させるよう構成され得る。
【００２８】
前記プロセッサは、前記インターフェースに、前記第一無線信号から前記第一メッセージをデジタル処理によって復号化し、前記第二無線信号のために、復号化された前記第一メッセージを符号化することによって、前記第二無線信号を送信させるよう構成され、前記プロセッサは、前記インターフェースに、前記第三無線信号から前記第二メッセージをデジタル処理によって復号化し、前記第四無線信号のために、復号化された前記第二メッセージを符号化することによって、前記第四無線信号を送信させるよう構成され得る。
【００２９】
前記プロセッサは、前記インターフェースにおける、前記第一無線信号の、前記第一無線信号のノイズへの強さの割合を表す第一信号対雑音比を決定するようさらに構成され得る。前記プロセッサは、前記第一信号対雑音比が第一基準を満たす場合には、前記インターフェースに、前記第一無線信号を増幅することにより、前記第二無線信号を送信させるよう構成され得る。前記プロセッサは、前記第一信号対雑音比が前記第一基準を満たさない場合には、前記インターフェースに、前記第一無線信号から前記第一メッセージをデジタル処理によって復号化し、さらに、前記第二無線信号のために、復号化された前記第一メッセージを符号化することにより、前記第二無線信号を送信させるよう構成され得る。前記プロセッサは、前記インターフェースにおける、前記第三無線信号の、前記第三無線信号のノイズへの強さの割合を表す第二信号対雑音比を決定するようさらに構成され得る。前記プロセッサは、前記第二信号対雑音比が第二基準を満たす場合には、前記インターフェースに、前記第三無線信号を増幅することにより、前記第四無線信号を送信させるよう構成され得る。前記プロセッサは、前記第二信号対雑音比が前記第二基準を満たさない場合には、前記インターフェースに、前記第三無線信号から前記第二メッセージをデジタル処理によって復号化し、さらに、前記第四無線信号のために、復号化された前記第二メッセージを符号化することにより、前記第四無線信号を送信させるよう構成され得る。
【００３０】
前記第一信号対雑音比は、第一閾値を超える場合に、前記第一基準を満たし、前記第一信号対雑音比は、前記第一閾値を超えない場合に、前記第一基準を満たさない。前記第二信号対雑音比は、第二閾値を超える場合に、前記第二基準を満たし、前記第二信号対雑音比は、前記第二閾値を超えない場合に、前記第二基準を満たさない。
【００３１】
前記プロセッサは、前記第二無線信号を送信する前に、前記第一遠隔無線局から、前記第二無線チャネルで、前記第一メッセージを用いて符号化され、かつ、前記第一無線信号と同じ強さでない第五無線信号を、前記インターフェースにより受信し；前記第一及び第五無線信号の、それぞれの信号強度を比較し；前記第一無線信号が、前記第五無線信号より強い場合に、前記第二無線信号のために、前記第一無線チャネルの代わりに前記第二無線チャネルを選択する；
ようにさらに構成され得る。
【００３２】
前記プロセッサは：前記インターフェースにより、前記第一遠隔無線局から、前記第一無線チャネルで、第三メッセージを用いて符号化された第六無線信号を受信し；前記第六無線信号を受信した後に、前記インターフェースに、前記第一、第二、第三及び第四無線チャネルと異なる第五無線チャネルで、前記第三メッセージを用いて符号化した第七無線信号を、第三遠隔無線局へと送信させ；前記インターフェースにより、前記第三遠隔無線局から、前記第五無線チャネルで、第四メッセージを用いて符号化された第八無線信号を受信し；前記第八無線信号を受信した後に、前記インターフェースに、前記第四無線チャネルで、前記第四メッセージを用いて符号化した第九無線信号を、前記第一遠隔無線局へと送信させる；ようさらに構成され得る。
【００３３】
前記第五無線チャネルは、略５ＧＨｚより低い無線周波数を有し得る。
【００３４】
前記プロセッサは、前記第三遠隔無線局と関連付けられた前記第一無線チャネルのサブチャネルで、前記第六無線信号を受信するよう構成され得る。前記プロセッサは、前記第三遠隔無線局と関連付けられた前記第五無線チャネルのサブチャネルで、前記第七無線信号を送信するよう構成され得る。前記プロセッサは、前記第三遠隔無線局と関連付けられた前記第五無線チャネルの前記サブチャネルで、前記第八無線信号を受信するよう構成され得る。前記プロセッサは、前記第三遠隔無線局と関連付けられた前記第四無線チャネルのサブチャネルで、前記第九無線信号を送信するよう構成され得る。
【００３５】
前記第六無線信号は、宛先のデータを含む宛先フィールドを含み、前記プロセッサは、前記第六無線信号の前記宛先フィールドが、前記第三遠隔無線局を示す宛先のデータを含むとき、前記第六無線信号の受信に応じて、前記インターフェースに、前記第七無線信号を送信させるよう構成され得る。
【００３６】
別の例示的な実施形態に従って、無線通信方法が提供される。前記方法は：移動局において、第一遠隔無線局から、第一無線チャネルで、第一無線信号を受信する段階と；前記第一無線チャネルと関連付けられた、前記第一無線チャネルと異なる第二無線チャネルで、前記移動局から前記第一遠隔無線局へ、第二無線信号を送信する段階と；前記移動局において、第二遠隔無線局から、前記第一及び第二無線チャネルと異なる第三無線チャネルで、第三無線信号を受信する段階と；前記第三無線チャネルと関連付けられ、前記第一、第二及び第三無線チャネルと異なる第四無線チャネルで、前記移動局から前記第二遠隔無線局へ、第四無線信号を送信する段階と；を含む。
【００３７】
前記第一、第二、第三及び第四無線チャネルは、それぞれ異なる第一、第二、第三及び第四無線周波数帯域で、周波数分割多重され得る。
【００３８】
前記第一及び第二無線チャネルは、第一無線周波数帯域で時分割多重され、
前記第三及び第四無線チャネルは、前記第一無線周波数帯域と異なる第二無線周波数帯域で時分割多重され得る。
【００３９】
本方法は、前記移動局において、前記第一、第二、第三及び第四の無線チャネルのそれぞれの無線周波数帯と異なる構成用無線周波数帯域の構成情報信号の中の符号化された構成情報を受信する段階をさらに有し得る。
【００４０】
前記構成用無線周波数帯域は、略５７ＧＨｚと略６４ＧＨｚの間であり得る。
【００４１】
前記第一、第二、第三及び第四無線チャネルは、それぞれ、略５７ＨＧｚと略６４ＧＨｚの間の無線周波数を有し得る。
【００４２】
別の例示的な実施形態によれば：第一遠隔無線局から、第一無線チャネルで、第一無線信号を受信するための設備と；前記第一無線チャネルと関連付けられた、前記第一無線チャネルと異なる第二無線チャネルで、前記第一遠隔無線局へ第二無線信号を送信するための設備と；前記第一及び第二無線チャネルと異なる第三無線チャネルで、第二遠隔無線局から第三無線信号を受信するための設備と；前記第三無線チャネルと関連付けられた、前記第一、第二及び第三無線チャネルと異なる第四無線チャネルで、第四無線信号を、前記第二遠隔無線局へ送信するための設備と；を含む、移動局装置が提供される。
【００４３】
別の例示的な実施形態によれば：異なる第一、第二、第三及び第四無線チャネルで、第一及び第二遠隔無線局との無線通信を容易にするためのインターフェースと；前記インターフェースと通信するプロセッサと；を含む、移動局装置が提供される。前記プロセッサは：前記インターフェースにより、第一無線チャネルで、第一遠隔無線局から、第一無線信号を受信し；前記インターフェースに、前記第一無線チャネルと関連付けられた、前記第一無線チャネルと異なる第二無線チャネルで、第二無線信号を、前記第一遠隔無線局へと送信させ；前記インターフェースにより、第二遠隔無線局から、前記第一及び第二無線チャネルと異なる第三無線チャネルで、第三無線信号を受信し；前記インターフェースに、前記第三無線チャネルと関連付けられた、前記第一、第二及び第三無線チャネルと異なる第四無線チャネルで、第四無線信号を、前記第二遠隔無線局へと送信させる；よう構成される。
【００４４】
前記第一、第二、第三及び第四無線チャネルは、それぞれ、異なる第一、第二、第三及び第四無線周波数帯域で、周波数分割多重され得る。
【００４５】
前記第一及び第二無線チャネルは、第一無線周波数帯域で時分割多重され、前記第三及び第四無線チャネルは、前記第一無線周波数帯域と異なる第二無線周波数帯域で時分割多重され得る。
【００４６】
前記プロセッサは、前記インターフェースから、前記第一、第二、第三及び第四の無線チャネルのそれぞれの無線周波数帯と異なる構成用無線周波数帯域の構成情報信号の中の符号化された構成情報を受信するようさらに構成され得る。
【００４７】
前記構成用無線周波数帯域は、略５７ＧＨｚと略６４ＧＨｚの間にあり得る。
【００４８】
前記第一、第二、第三及び第四無線チャネルは、それぞれ略５７ＨＧｚと略６４ＧＨｚの間の無線周波数を有し得る。
【００４９】
他の実施例及び特徴は、添付される図面と併せて、以下の例示的な実施形態のレビューに基づいて、当業者に明らかになるだろう。
【図面の簡単な説明】
【００５０】
【図１】例示的な無線通信システムの上方視点の略図。
【図２】図１の無線通信システムの基地局の略図。
【図３】図２の基地局のダウンリンクコードの略図。
【図４】図２の基地局の無線通信インターフェースによって送信されるダウンリンクの信号の略図。
【図５】図２の基地局のアップリンクコードの略図。
【図６】図２の基地局の無線通信インターフェースにおいて受信されるアップリンク信号の略図。
【図７】図２の基地局の構成コードの略図。
【図８】図２の基地局の無線通信インターフェースによって送信される構成信号の略図。
【図９】図１の無線通信システムの無線信号リピータの略図。
【図１０】図９の無線信号リピータのダウンリンクコードの略図。
【図１１】図９の無線信号リピータのアップリンクコードの略図。
【図１２】図９の無線信号リピータの構成コードの略図。
【図１３】図１の無線通信システムの移動局の略図。
【図１４】図１３の移動局のダウンリンクコードの略図。
【図１５】図１３の移動局のアップリンクコードの略図。
【図１６】図１３の移動局の構成コードの略図。
【図１７】図１の無線通信システムにおいて送信され、かつ受信される、例示的な信号の略図。
【図１８】図１の無線通信システムにおいて送信され、かつ受信される、他の例示的な信号の略図。
【図１９】図１の無線通信システムにおいて送信され、かつ受信される、他の例示的な信号の略図。
【図２０】図１の無線通信システムにおいて送信され、かつ受信される、他の例示的な信号の略図。
【発明を実施するための形態】
【００５１】
この出願は、米国仮出願番号６１／２４５，３４９（２００９年９月２４日出願）の利益を主張するものであり、参照によって、その全てがここに組み込まれる。
【００５２】
図１を参照すると、例示的な無線通信システムが１００において一般的に示され、基地局１０２、無線信号リピータ１０４、１０６、１０８、１１０、１１２、１１４、１１６、１１８、１２０、１２２、１２４、１２６、１２８、１３０及び１３２、移動局１３４、１３６、１３８及び１４０を含む。示される実施形態において、移動局１３４は、無線信号リピータ１０６と無線通信し，移動局１３６は、無線信号リピータ１０６及び１２０と通信し、移動局１４０は、無線信号リピータ１１８と無線通信する。一般に、基地局１０２と、無線信号リピータ１０４、１０６、１０８、１１０、１１２、１１４、１１６、１１８、１２０、１２２、１２４、１２６、１２８、１３０及び１３２は、それぞれの無線通信範囲を有する。それぞれの無線通信範囲は、重複しており、基地局１０２を囲むカバレージエリア１４２の中の、移動局１３４、１３６、１３８及び１４０のような移動局と、無線により集合的に通信する。基地局１０２と、無線信号リピータ１０４、１０６、１０８、１１０、１１２、１１４、１１６、１１８、１２０、１２２、１２４、１２６、１２８、１３０及び１３２と、移動局１３４、１３６、１３８及び１４０は、単に無線局と呼ばれ得る。
【００５３】
図２を参照すると、基地局１０２（図１においても示される）が、概略的に図示される。基地局１０２は、示される実施形態において、マイクロプロセッサ１４４、プログラムメモリ１４６、入出力（Ｉ／Ｏ）モジュール１４８及び構成（configuration）メモリ１５０を含む。示される実施形態におけるプログラムメモリ１４６は、基地局１０２の機能を実行するようマイクロプロセッサ１４４に指示するコードで符号化される、ランダムアクセスメモリ（ＲＡＭ）を含む。Ｉ／Ｏモジュール１４８は、無線アンテナ１５４と通信する無線通信ポート１５２を含む。Ｉ／Ｏモジュール１４８は、基地局１０２のバックホール（backhaul）１５８と通信するためのバックホールポート１５６をさらに含む。バックホール１５８は、カバレージエリア１４２（図１において示される）内の移動局と、カバレージエリア（１４２）の外の移動局、及び例えば他の電話やインターネット（図示しない）上のコンピュータとの間の通信を容易にするために、基地局１０２を、無線通信ネットワーク内の他の基地局と、例えば電話ネットワークとインターネットのような、他の通信ネットワークに接続する。示される実施形態における構成メモリ１５０もまたＲＡＭであり、基地局１０２を構成するためのデータを一般に保管する。示される実施形態における基地局１０２は、マイクロプロセッサ１４４、プログラムメモリ１４６、Ｉ／Ｏモジュール１４８及び構成メモリ１５０を含むが、代わりに、例えばハードドライブやＡＳＩＣ（application-  specific  integrated  circuits）のような、追加又は代替の部品を含んでもよい。
【００５４】
図１、図２を参照すると、示される実施形態における無線アンテナ１５４は、少なくとも五つの異なる無線チャネルに関して、すなわち、第一及び第二ダウンリンク無線チャネル１６０、１６２、第一及び第二アップリンク無線チャネル１６４、１６６、及び構成及び制御無線チャネル２０４に関して、無線信号リピータ１０４、１０６、１０８、１１０との無線通信を容易にする。簡単のため、図１において、無線チャネル１６０、１６２、１６４、１６６及び２０４は、基地局１０２と無線信号リピータ１０６との間と、無線信号リピータ１０６と１２０との間のみ示される。しかし、示される実施形態において、全ての無線チャネル１６０、１６２、１６４、１６６及び２０４で、基地局１０２は、無線信号リピータ１０６、１０８、１１０及び１１２とも無線通信し、無線信号リピータ１０４は、無線信号リピータ１１４及び１１６と無線通信し、無線信号リピータ１０６は、無線信号リピータ１１８及び１２０と無線通信し、無線信号リピータ１０８は、無線信号リピータ１２２及び１２４と無線通信し、無線信号リピータ１１０は、無線信号リピータ１２６及び１２８と無線通信し、無線信号リピータ１１２は、無線信号リピータ１３０及び１３２と無線通信する。従って、無線アンテナ１５４は、示される実施形態において、無線信号リピータ１０４、１０６、１０８、１１０及び１１２への無線通信インターフェースとして機能するか、あるいは、単純にインターフェースとして機能する。
【００５５】
ここで、「無線チャネル」とは、一つ以上の無線又は他の電磁周波数帯域の多重化された通信シャネルを指す。示される実施形態において、基地局１０２は、無線チャネル１６０、１６２、１６４及び１６６を、周波数分割多重化を用いて多重化するよう構成可能である。この場合に、無線チャネル１６０、１６２、１６４及び１６６は、それぞれ、異なる無線周波数帯域上に多重化される。示される実施形態において、基地局１０２は、無線チャネル１６０、１６２、１６４及び１６６を、時分割多重化を用いて、多重化するようさらに構成可能である。この場合に、第一ダウンリンク無線チャネル１６０と、第一アップリンク無線チャネル１６４は、第一無線周波数帯域の中で時分割多重化され、第二ダウンリンク無線チャネル１６２と、第二アップリンク無線チャネル１６６は、第一無線周波数帯域と異なる第二無線周波数帯域の中で時分割多重化される。しかしながら、示される実施形態のあらゆる場合において、構成及び制御無線チャネル２０４は、無線チャネル１６０、１６２、１６４及び１６６の周波数帯域と異なる周波数帯域において多重化される。別の基地局は、無線チャネル１６０、１６２、１６４、１６６及び２０４を、異なる多重化技術を用いて多重化してもよく、示される実施形態における構成メモリ１５０は、基地局１０２の特有の多重化技術を特定する構成データを保管する。
【００５６】
示される実施形態において、無線チャネル１６０、１６２、１６４、１６６及び２０４は、およそ５７ＧＨｚとおよそ６４ＧＨｚの間の無線周波数帯域の中の、それぞれの無線周波数帯域である。それらは、簡単のために、「６０ＧＨｚ」と呼ばれ、米国では許可されていない。代替となる実施形態において、無線チャネル１６０、１６２、１６４、１６６及び２０４は、例えば、およそ３０ＧＨｚと３００ＧＨｚとの間の極超短波（Extremely  High  Frequencies；ＥＨＦ）として知られる、他の無線周波数のような、他の無線周波数を有してもよい。無線チャネル１６０、１６２、１６４、１６６及び２０４の、それぞれの無線周波数帯域は、示される実施形態において、構成メモリ１５０においても特定される。
【００５７】
図２に戻ると、プログラムメモリ１４６は、ダウンリンク信号を送信するよう、マイクロプロセッサ１４４に指示するためのコードのブロックを含む、ダウンリンクコード（downlink  code）１６８を含む。図３を参照すると、ダウンリンクコード１６８は、概略的に表される。ダウンリンクコード１６８は、バックホール１５８（図２に示される）からのダウンリンクメッセージの受信に応じて、開始する（１７０）。１７０において、バックホール（１５８）から受信されるダウンリンクメッセージは、カバレージエリア１４２内の移動局（図１で示される移動局１３４、１３６、１３８及び１４０のような）へ向けられる、あらゆるメッセージを含み、例えば音声メッセージ、データメッセージ又は構成メッセージを含み得る。ダウンリンクコード１６８はブロック１７２に進む。ブロック１７２は、無線アンテナ１５４に、第一ダウンリンク無線チャネル１６０で、１７０で受信されたダウンリンクメッセージを用いて符号化（encode；変調、拡散符号による演算を含む）されたダウンリンク信号を送信させるよう、マイクロプロセッサ（１４４）に指示する。ダウンリンクコード１６８はブロック１７４に進む。ブロック１７４は、第二ダウンリンク無線チャネル１６２で、１７０で受信されたダウンリンクメッセージを用いて符号化されたダウンリンク信号を送信するよう、マイクロプロセッサ（１４４）に指示する。次に、ダウンリンクコード１６８は終了する。
【００５８】
従って、示される実施形態において、基地局（１０２）は、バックホール（１５８）からダウンリンクメッセージを受信し、基地局（１０２）は、第一及び第二ダウンリンク無線チャネル１６０、１６２の両方で、そのメッセージを含むダウンリンク信号を送信する。代替となる基地局は、第一及び第二ダウンリンク無線チャネル１６０、１６２のうちの一つのみで、信号を送信してもよい。この場合には、ブロック１７２、１７４のうちの一つが省略され得る。さらに、他の代替となる基地局は、基地局と無線通信する特定の無線信号リピータへ向けられるダウンリンク信号のために、第一及び第二ダウンリンク無線チャネル１６０、１６２のうちの一つを選択してもよい。
【００５９】
図４を参照すると、ブロック１７２又は１７４（図３において示される）におけるコードに応じて送信される例示的なダウンリンク信号が、１７６で一般的に示される。ダウンリンク信号は、ダウンリンク信号の宛先の識別子を保管するための宛先識別子フィールド１７８と、１７０で受信されたメッセージを保管するメッセージフィールド１８０を含む。従って、示される実施形態におけるダウンリンク信号は、デジタルデータパケットである。しかしながら、代替となる実施形態において、ダウンリンク信号は、例えばデジタルデータパケットとして送信されない、アナログ信号又はデジタルデータストリーム信号であってもよい。
【００６０】
図２に戻ると、プログラムメモリ１４６は、示される実施形態における無線信号リピータ１０４、１０６、１０８、１１０及び１１２（図１において示される）のうちの一つから、アップリンク信号を受信するよう、マイクロプロセッサ１４４（図２において示される）に指示するための、アップリンクコード１８２をさらに含む。図５を参照すると、アップリンクコード１８２が概略的に示される。アップリンクコード１８２は、無線アンテナ１５４（図２において示される）において、第一アップリンク無線チャネル１６４で受信されるアップリンク信号に応じて開始するか（１８４）、無線アンテナ（１５４）において、第二アップリンク無線チャネル１６６で受信されるアップリンク信号に応じて開始される（１８６）。いずれの場合においても、アップリンクコード１８２は、ブロック１８８に進む。ブロック１８８は、１８４か１８６で受信された信号の中で符号化されたメッセージを、バックホール１５８（図２において示される）へ送信するよう、マイクロプロセッサ（１４４）に指示する。従って、図１に戻り、示される実施形態において、基地局１０２は、第一及び第二アップリンク無線チャネル１６４、１６６で、無線信号リピータ１０４、１０６、１０８、１１０及び１１２からアップリンク信号を受信し、さらに、それらのアップリンク信号の中の符号化されたメッセージを、バックホール１５８（図２において示される）へ送信する。
【００６１】
図６を参照すると、１８４、１８６（図５において示される）で受信される例示的なアップリンク信号は、１９０において一般的に示される。例示的なアップリンク信号は、アップリンクメッセージの発信元（例えば、図１に示される、移動局１３４、１３６、１３８及び１４０のうちの一つのような）の識別子を保管するための発信元識別子フィールド１９２）と、メッセージを保管するためのメッセージフィールド１９４を含む。アップリンクメッセージフィールド１９４の中のアップリンクメッセージは、例えば、音声通信又は他のデータのためのデータを含んでもよい。さらに、示される実施形態において、アップリンク信号１９０は、デジタルパケットである。しかし、代替となる実施形態において、アップリンク信号は、例えばパケットへと分割されない、アナログ信号又はデジタルデータストリーム信号を含んでもよい。
【００６２】
図２に戻ると、プログラムメモリ１４６は、構成情報を受信及び送信するよう、マイクロプロセッサ１４４（図２において示される）に指示するための構成コード１９６をさらに含む。ここで、「構成情報（configuration  information）」とは、制御情報も指し、「構成信号（configuration  signal）」とは、制御情報を含む信号も指す。図７を参照すると、示される実施形態において、構成コード１９６は、バックホール１５８（図２において示される）からの構成情報の受信に応じて開始する（１９８）。１９８で受信された構成情報は、例えば、多重化技術と、無線チャネル１６０、１６２、１６４、１６６及び２０４の周波数帯域と、無線通信システム１００（図１において示される）のための一般的な他の構成情報とを特定する構成情報を含み得る。構成コード１９６はブロック２００に進む。ブロック２００は、構成メモリ１５０（図２において示される）に、１９８で受信された構成情報を保管するよう、マイクロプロセッサ１４４（図１において示される）に指示する。構成コード１９６は、ブロック２０２に進む。ブロック２０２は、構成及び制御無線チャネル２０４で、構成情報を用いて符号化された構成信号を送信するよう、マイクロプロセッサ（１４４）に指示する。
【００６３】
上述したように、示される実施形態において、構成及び制御無線チャネル２０４も、略５７ＧＨｚと略６４ＧＨｚの間に存在するが、無線チャネル１６０、１６２、１６４及び１６６の周波数帯域と異なる周波数帯域である。従って、示される実施形態において、構成情報は、アップリンク及びダウンリンク信号と異なる無線周波数帯域の中で、送信される。このことは、複数の実施形態において、構成信号のタイミングをとるために、好都合に、より高い適応性をもたらす。代わりに、構成及び制御無線チャネル２０４は、例えば、無線チャネル１６０、１６２、１６４及び１６６として、同一の無線周波数帯域の中で多重化され得る。
【００６４】
図８を参照すると、ブロック２０２（図７において示される）で送信される、例示的な構成信号が、３２６において一般的に示される。例示的な構成信号は、１９８で受信された構成情報のように、構成情報を保管するための構成情報フィールド２０８を含む。
【００６５】
図９を参照すると、示される実施形態における、無線信号リピータ１０６（図１においても示される）が概略的に示される。無線信号リピータ１０６は、マイクロプロセッサ２１０と、全てマイクロプロセッサ２１０と通信する、構成メモリ２１２と、プログラムメモリ２１４と、一時メモリ２１６と、Ｉ／Ｏモジュール２１８とを含む。示される実施形態における構成メモリ２１２は、ＲＡＭを含み、例えば構成信号２０６（図８において示される）において受信される構成情報のような、無線信号リピータ１０６を構成するための情報を保管する。示される実施形態におけるプログラムメモリ２１４もまたＲＡＭを含み、一般に、無線信号リピータ１０６の機能を実行するよう、マイクロプロセッサ２１０に指示するためのコードを保管する。示される実施形態における一時メモリ２１６は、ＲＡＭを含み、無線信号リピータ１０６の稼働中に生成され、アクセスされる、様々なデータを保管する。Ｉ／Ｏモジュール２１８は、無線アンテナ２２２と通信する無線アンテナポート２２０を含み、示される実施形態において、無線アンテナ２２２は、無線チャネル１６０、１６２、１６４、１６６及び２０４を通じて、基地局１０２及び無線信号リピータ１１８、１２０（図１において示される）との無線通信を容易にする。従って、無線アンテナ２２２は、基地局（１０２）及び無線信号リピータ（１１８及び１２０）との無線通信のための、無線通信インターフェースとして機能するか、単純にインターフェースとして機能する。無線信号リピータ１０６は、示される実施形態において、マイクロプロセッサ２１０、構成メモリ２１２、プログラムメモリ２１４、一時メモリ２１６及びＩ／Ｏモジュール２１８とともに図示されるが、代替となる無線信号リピータは、例えばハードドライブやＡＳＩＣのような、異なる部品を含んでもよい。
【００６６】
プログラムメモリ２１４は、示される実施形態において、一般に、ブロック１７２又は１７４（図３において示される）で、基地局１０２（図１において示される）によって送信されたダウンリンク信号に応答するよう、マイクロプロセッサ２１０に指示する。
【００６７】
図１０を参照すると、ダウンリンクコード２２４が、概略的に図示される。ダウンリンクコードは、無線アンテナ２２２（図９において示される）における、ブロック１７２（図３において示される）におけるコードに応じた、第一ダウンリンク無線チャネル１６０での、ダウンリンク信号１７６（図４において示される）の受信に応じて（２２６）、あるいは、ブロック１７４（図３において示される）におけるコードに応じた、第二ダウンリンク無線チャネル１６２での、ダウンリンク信号（１７６）の受信に応じて（２２８）、開始する。
【００６８】
ダウンリンクコード２２４が２２６において開始する場合には、ダウンリンクコード２２４はブロック２３０に進む。ブロック２３０は、第一ダウンリンク無線チャネル１６０で受信される信号の信号対雑音比を測定するよう、マイクロプロセッサ２１０（図９において示される）に指示し、さらに、一時メモリ２１６（図９において示される）の第一信号対雑音比ストア２３２に信号対雑音比を保管するように指示する。ダウンリンクコード２２４はブロック２３４に進む。ブロック２３４は、同一のデータを用いて符号化された信号が、第二ダウンリンク無線チャネル１６２でさらに受信されたかどうかを決定するよう、マイクロプロセッサ（２１０）に指示する。同一のデータを用いて符号化された信号は、ブロック１７４（図３において示される）のコードに応じて、第二ダウンリンク無線チャネル１６２で、さらに受信され得る。
【００６９】
ブロック２３４において、同一のデータを用いて符号化された信号が、第二ダウンリンク無線チャネル１６２でさらに受信された場合には、ダウンリンクコード２２４は、２２８でさらに開始し、ブロック２３６に進む。ブロック２３６は、第二ダウンリンク無線チャネル１６２で、信号の信号対雑音比を測定するよう、マイクロプロセッサ（２１０）に指示し、さらに、一時メモリ２１６（図９において示される）の第二信号対雑音比ストア２３８に信号対雑音比を保管するよう指示する。ダウンリンクコード２２４はブロック２３６からブロック２４０へ進む。ブロック２４０は、同一のデータを用いて符号化された信号が、第一ダウンリンク無線チャネル１６０でさらに受信されたかどうかを決定するよう、マイクロプロセッサ（２１０）に指示する。
【００７０】
ブロック２３４において、同一のデータを用いて符号化された信号が、第二ダウンリンク無線チャネル１６２でさらに受信されるか、あるいは、ブロック２４０において、同一のデータを用いて符号化された信号が、第一ダウンリンク無線チャネル１６０でさらに受信された場合には、ダウンリンクコード２２４は、ブロック２４２に進む。ブロック２４２は、第一ダウンリンク無線チャネル１６０の信号が、第二ダウンリンク無線チャネル１６２の信号より強いかどうかを決定するよう、マイクロプロセッサ（２１０）に指示する。示される実施形態において、ブロック２４２において、コードは、マイクロプロセッサ（２１０）に、第一及び第二信号対雑音比ストア２３２、２３８（図９において示される）に保管される信号対雑音比を比較するよう指示し、さらに、第一信号対雑音比ストア（２３２）が、第二信号対雑音比ストア（２３８）より大きな信号対雑音比を保管する場合に、第一ダウンリンク無線チャネル１６０の信号が、第二ダウンリンク無線チャネル１６２の信号より強いと決定するよう、マイクロプロセッサ（２１０）に指示する。
【００７１】
ブロック２４２において、第一ダウンリンク無線チャネル１６０の信号が、第二ダウンリンク無線チャネル１６２の信号より強い場合か、又は、ブロック２３４において、第二ダウンリンク無線チャネル１６２で、同一のデータを用いて符号化された信号が存在しない場合には、ダウンリンクコード２２４は、ブロック２４４に進む。ブロック２４４は、第一アップリンク無線チャネル１６４をアップリンク送信無線チャネルとして設定するために、一時メモリ２１６（図９において示される）のアップリンク送信無線チャネルストア２４６を構成するよう、マイクロプロセッサ（２１０）に指示する。ダウンリンクコード２２４は、ブロック２４８に進む。ブロック２４８は、第一ダウンリンク無線チャネル１６０をダウンリンク受信無線チャネルとして設定するために、一時メモリ２１６（図９において示される）のアップリンク送信無線チャネルストア２４６を構成するよう、マイクロプロセッサ（２１０）に指示する。
【００７２】
図１に戻ると、示される実施形態において、無線信号リピータ１０６は、移動局無線チャネル２５２で、移動局１３４と無線通信する。示される実施形態において、無線チャネル１６０、１６２、１６４、１６６及び２０４は、６０ＧＨｚ帯であるのに対し、移動局無線チャネル２５２は、およそ２ＧＨｚのＧＳＭ無線帯域にある。代替となる実施形態において、無線信号リピータは、例えば、ＧＳＭ、ＣＤＭＡ、ＴＤＭＡ及びＩＥＥＥ８０２．１１又は８０２．１６のような、様々な無線周波数帯域にて、移動局と通信することができる。そして、そのような無線局無線チャネルは、一般に、示される実施形態における、無線チャネル１６０、１６２、１６４、１６６及び２０４の無線周波数帯より、低い無線周波数である。
【００７３】
図１０に戻ると、ダウンリンクコード２２４は、ブロック２４８からブロック２５４に進む。ブロック２５４は、２２６で受信した信号の宛先識別子フィールド１７８（図４において示される）が、移動局無線チャネル２５２のダウンリンク無線チャネルを示すかどうかを決定するよう、マイクロプロセッサ（２１０）に指示する。示される実施形態において、宛先識別子フィールド（１７８）の宛先識別子が、移動局無線チャネル２５２で、無線信号リピータ（１０６）と無線通信する（示される実施形態における図１の移動局１３４のような）移動局を示す場合には、宛先識別子フィールド（１７８）の宛先識別子は、移動局無線チャネル２５２のダウンリンク無線チャネルを示す。ブロック２５４において、宛先識別子フィールド（１７８）の宛先識別子が、移動局無線チャネル２５２のダウンリンク無線チャネルを示す場合には、ダウンリンクコード２２４は、ブロック２５６に進む。ブロック２５６は、移動局無線チャネル２５２をダウンリンク送信無線チャネルとして設定するために、一時メモリ２１６（図９において示される）のダウンリンク送信無線チャネルストア２５８を構成するよう、マイクロプロセッサ（２１０）に指示する。そうでなければ、ダウンリンクコード２２４は、ブロック２６０に進む。ブロック２６０は、第二ダウンリンク無線チャネル１６２をダウンリンク送信無線チャネルとして設定するために、ダウンリンク送信無線チャネルストア（２５８）を構成するよう、マイクロプロセッサ（２１０）に指示する。
【００７４】
ブロック２５６又は２６０の後に、ダウンリンクコード２２４は、ブロック２６２に進む。ブロック２６２は、ダウンリンク受信無線チャネルの信号帯雑音比が、構成メモリ２１２（図９において示される）の閾値ストア２６４に保管される閾値を超えるかどうかを決定するよう、マイクロプロセッサ（２１０）に指示する。ブロック２４８において、ダウンリンク受信無線チャネルが、第一ダウンリンク無線チャネル１６０として設定された場合には、ブロック２６２において、コードは、第一信号対雑音比ストア２３２に保管される信号対雑音比を、閾値ストア２６４に保管される閾値と比較する。ブロック２６２において、ダウンリンク受信無線チャネルの信号対雑音比が閾値を超える場合には、ダウンリンクコード２２４は、ブロック２６６に進む。ブロック２６６は、無線アンテナ２２２（図９において示される）に、ダウンリンク受信無線チャネル（ダウンリンク受信無線チャネルストア２５０により特定される）から受信される信号を増幅することにより、ダウンリンク送信無線チャネル（図９において示されるダウンリンク送信無線チャネルストア２５８により特定される）で、ダウンリンク信号を送信させるよう、マイクロプロセッサ２１０に指示する。しかしながら、ブロック２６２において、ダウンリンク受信無線チャネルの信号対雑音比が、閾値を超えない場合には、ダウンリンクコード２２４は、ブロック２６８に進む。ブロック２６８は、無線アンテナ（２２２）に、ダウンリンク受信無線チャネル（ダウンリンク受信無線チャネルストア２５０により特定される）から受信されるメッセージを、デジタル処理によって（digitally）、復号化（decode；復調、拡散符号による演算を含む）し、ダウンリンク信号のために符号化することにより、ダウンリンク送信無線チャネル（図９において示されるダウンリンク送信無線チャネルストア２５８により特定される）で、ダウンリンク信号（１７６）を送信させるよう、マイクロプロセッサ２１０に指示する。ブロック２６６又はブロック２６８の後に、ダウンリンクコード２２４は終了する。
【００７５】
従って、示される実施形態において、無線信号リピータ（１０６）は、単に受信されたアップリンク信号を増幅する（ブロック２６６のように）か、あるいは、受信されたメッセージをデジタル処理によって復号化し、次に符号化することによって（ブロック２６８のように）、受信されたメッセージを反復する（repeat）ことができる。受信された信号の信号対雑音比が、閾値より上である場合、無線信号リピータ（１０６）は、単に信号を増幅することができる。高い信号帯雑音比を有する信号は、より少ないエラーを有し得ることが見込まれるためである。しかしながら、信号対雑音比が、閾値より下である場合、信号は、より多くエラーを含む可能性があり、メッセージのデジタル処理による復号化と符号化は、反復された信号の品質を、（特に、信号が、例えば、冗長なデータ訂正情報を含むとき）好都合に高めることができる。代替となる実施形態において、ブロック２６２におけるコードは省略され、ダウンリンクコード２２４は、例えば、ブロック２６６のコードか、ブロック２６８のコードへ、直接進み得る。さらに他の実施形態において、構成メモリ２１２（図９において示される）は、ブロック２６６におけるコードを実行するか、あるいは、ブロック２６８におけるコードを実行するかを決定する構成情報を含んでもよい。さらに、ダウンリンクとアップリンク信号が純粋にアナログである場合に、ブロック２６２と２６８のコードは省略され、ダウンリンクコード２２４は、ブロック２６６のコードに直接進む。
【００７６】
さらに図１０を参照すると、ブロック２４０において、同一のデータを用いて符号化された信号が、第一ダウンリンク無線チャネル１６０でさらに受信されていない場合か、又は、ブロック２４２において、第一ダウンリンク無線チャネル１６０の信号が、第二ダウンリンク無線チャネル１６２の信号より強くない場合には、ダウンリンクコード２２４は、ブロック２７０に進む。ブロック２７０は、第二アップリンク無線チャネル１６６をアップリンク送信無線チャネルとして設定するために、アップリンク送信無線チャネルストア２４６（図９において示される）を構成するよう、マイクロプロセッサ（２１０）に指示する。
【００７７】
ダウンリンクコード２２４は、ブロック２７２に進む。ブロック２７２は、第二ダウンリンク無線チャネル１６２をダウンリンク受信無線チャネルとして設定するために、ダウンリンク受信無線チャネルストア２５０（図９において示される）を構成するよう、マイクロプロセッサ（２１０）に指示する。ダウンリンクコード２２４は、ブロック２７４に進む。ブロック２７４は、２２８で受信されたダウンリンク信号１７６（図４において示される）の宛先識別子フィールド１７８の宛先識別子が、移動局無線チャネル２５２のダウンリンク無線チャネルを示すかどうか決定するよう、マイクロプロセッサ（２１０）に指示する。従って、ブロック２７４のコードは、ブロック２５４のコードと、実質的に同一である（ブロック２５４のコードが、２２６において受信されたダウンリンク信号（１７６）の宛先識別子フィールド（１７８）の宛先識別子に応答するよう、マイクロプロセッサ（２１０）に指示することと、ブロック２７４のコードが、２２８において受信されたダウンリンク信号（１７６）の宛先識別子フィールド（１７８）の宛先識別子に応答するよう、マイクロプロセッサ（２１０）に指示することを除く）。ブロック２７４において、宛先識別子フィールド（１７８）の宛先識別子が、移動局無線チャネル２５２のダウンリンク無線チャネルを示す場合に、ダウンリンクコード２２４は、上で議論したように、ブロック２５６に進む。そうでなければ、ダウンリンクコード２２４は、ブロック２７６に進む。ブロック２７６は、第一ダウンリンク無線チャネル１６０を、ダウンリンク送信無線チャネルとして設定するために、ダウンリンク送信無線チャネルストア２５８（図９において示される）を構成するよう、マイクロプロセッサ（２１０）に指示する。ダウンリンクコード２２４は、上で述べたように、ブロック２６２に進む（ダウンリンク受信無線チャネルが、ブロック２７２において、第二ダウンリンク無線チャネル１６２として設定された場合に、ブロック２６２のコードが、第二信号対雑音比ストア２３８（図９において示される）に保管された信号対雑音比と、閾値ストア２６４（図９において示される）に保管された閾値とを比較することを除く）。
【００７８】
図１に戻ると、示される実施形態における無線信号リピータ１０６は、無線信号リピータ１１８及び１２０、又は移動局１３４及び１３６から、アップリンク信号をさらに受信し得る。図１及び図９を参照すると、プログラムメモリ２１４は、一般に、示される実施形態における、無線信号リピータ１１８及び１２０のうちの一つ、あるいは移動局１３４及び１３６のうちの一つからの、アップリンク信号１９０に応答するよう、マイクロプロセッサ２１０に指示するための、アップリンクコード２７８をさらに含む。図１１を参照すると、アップリンクコード２７８が、概略的に示され、以下のうちの一つから開始する：
２８０  無線アンテナ２２２（図９において示される）における、第一アップリンク無線チャネル１６４での、アップリンク信号（１９０）の受信に応じて；
２８２  無線アンテナ（２２２）における、第二アップリンク無線チャネル１６６での、アップリンク信号（１９０）の受信に応じて；
２８４  無線アンテナ（２２２）における、移動局無線チャネル１６６での、アップリンク信号（１９０）の受信に応じて；
２８０、２８２又は２８４のいずれかの後に、アップリンクコード２７８は、ブロック２８８に進む。ブロック２８８は、２８０、２８２又は２８４で受信されたアップリンク信号の信号対雑音比を測定するよう、マイクロプロセッサ（２１０）に指示する。アップリンクコード２７８は、ブロック２９０に進む。ブロック２９０は、ブロック２８８で測定された信号対雑音比が、閾値ストア２６４（図９において示される）に保管される閾値を超えるかどうかを決定するよう、マイクロプロセッサ（２１０）に指示する。ブロック２９０において、信号対雑音比が閾値を超える場合に、アップリンクコード２７８は、ブロック２９２に進む。ブロック２９２は、２８０、２８２又は２８４で受信された信号を増幅することにより、アップリンク送信無線チャネル（図９において示される、アップリンク送信無線チャネルストア２４６によって特定される）で、アップリンク信号１９０（図６において示される）を送信するよう、マイクロプロセッサ（２１０）に指示する。そうでない場合には、アップリンクコード２７８は、ブロック２９４に進む。ブロック２９４は、２８０、２８２又は２８４で受信されたメッセージをデジタル処理によって復号化し、復号化されたメッセージを符号化することによって、アップリンク送信無線チャネル（アップリンク送信無線チャネルストア２４６により特定される）で、アップリンク信号（１９０）を送信するよう、マイクロプロセッサ（２１０）に指示する。
【００７９】
従って、ブロック２６２、２６６及び２６８（図１０において示される）に関して、上で議論したように、ブロック２９０、２９２及び２９４のコードは、受信されたアップリンク信号の信号対雑音比が閾値を超える場合には、受信されたアップリンク信号を単に増幅するようマイクロプロセッサ（２１０）に指示し、受信されたアップリンク信号の信号対雑音比が閾値より低い場合には、受信されたメッセージをデジタル処理によって復号化し、符号化するようマイクロプロセッサ（２１０）に指示する。より低い信号対雑音比で受信された信号は、余分なエラーを有する可能性がある。余分なエラーは、メッセージをデジタル処理によって復号化し、符号化することによって取り除くことができる。さらに、代替となる実施形態において、ブロック２９０のコードは、省略されてもよい。そして、アップリンクコード２７８は、例えば、直接、ブロック２９２のコードか、ブロック２９４のコードに進んでもよい。さらに別の実施形態において、構成メモリ２１２（図９において示される）は、ブロック２９２のコードを実行するか、ブロック２９４のコードを実行するかを決定する構成情報を含んでもよい。さらに、ダウンリンク信号及びアップリンク信号が純粋なアナログである実施形態において、ブロック２９０及び２９４のコードは、アップリンクコード２７８が、直接、ブロック２９２のコードに進むように、省略されてもよい。
【００８０】
図９に戻ると、プログラムメモリ２１４は、一般に、例えばブロック２０２（図７において示される）のコードに応じて送信された構成信号２０６（図８において示される）に応答するよう、マイクロプロセッサ２１０に指示するための、構成コード２９６をさらに含む。図１２を参照すると、構成コード２９６が、概略的に示される。構成コード２９６は、無線アンテナ２２２（図９において示される）における構成信号（２０６）の受信に応じて、２９８において開始する。構成コード２９６はブロック３００に進む。ブロック３００は、２９８で受信された構成信号（２０６）の構成信号フィールド２０８（図８において示される）の構成情報を、構成メモリ２１２（図９において示される）に保管するよう、マイクロプロセッサ２１０（図９において示される）に指示する。構成コード２９６はブロック３０２に進む。ブロック３０２は、無線アンテナ（２２２）に、構成及び制御無線チャネル２０４で、構成信号（２０６）を送信させるよう、マイクロプロセッサ（２１０）に指示する。示される実施形態において、ブロック３０２のコードは、無線信号リピータ１０６に、構成信号（２０６）を、図１で示される無線局リピータ１１８及び１２０へと送信させる。
【００８１】
図１に戻ると、無線信号リピータ１０４、１０８、１１０、１１２、１１４、１１６、１１８、１２０、１２２、１２４、１２６、１２８、１３０及び１３２は、示される実施形態において、無線信号リピータ１０６と実質的に同一である。しかしながら、稼動時において、示される実施形態における無線信号リピータ１０４、１０８、１１０、１１２、１１４、１１６、１１８、１２０、１２２、１２４、１２６、１２８、１３０及び１３２は、図１や上で示されるように、他のそのような無線局と、無線によって通信する。
【００８２】
図１３を参照すると、移動局１３６が、概略的に図示される。示される実施形態において、移動局１３６は、マイクロプロセッサ３０４と、マイクロプロセッサ３０４と通信する、移動局１３６の構成情報を保管するための構成メモリ３０６と、一般に、当該移動局の機能を実行するよう、マイクロプロセッサ３０４に指示するためのプログラムメモリ３０８と、移動局１３６の稼働中に生成され、アクセスされるデータを保管するための一時メモリ３１０と、Ｉ／Ｏモジュール３１２とを含む。示される実施形態において、構成メモリ３０６、プログラムメモリ３０８及び一時メモリ３１０はＲＡＭである。そして、Ｉ／Ｏモジュール３１２は、無線アンテナ３１６と通信するための無線アンテナポート３１４を含む。移動局１３６は、Ｉ／Ｏモジュール３１２と通信するユーザインターフェース３１７をさらに含む。ユーザインターフェース３１７は、移動局１３６のユーザと相互にやりとりするための、様々なＩ／Ｏ部品を表し、示される実施形態において、スクリーン、マイク、スピーカ及びキーパッド（全て図示されない）を含む。
【００８３】
図１及び図１３を参照すると、示される実施形態における無線アンテナ３１６は、無線信号リピータ１０６及び１２０との無線通信を容易にする。しかしながら、移動局１３４と異なり、移動局１３６は、無線チャネル１６０、１６２、１６４、１６６及び２０４で、無線信号リピータ１０６及び１２０と無線通信する。代替となる実施形態において、移動局１３６は、他の無線信号リピータ又は基地局と無線通信することができ、より一般的に、無線アンテナ３１６は、無線信号リピータ１０６及び１２０のような無線信号リピータと無線通信するために、無線通信インターフェース、あるいは単にインターフェースとして機能する。
【００８４】
図１３に戻ると、プログラムメモリ３０８は、一般に、示される実施形態におけるブロック２６６又は２６８（図１０において示される）のコードに応じて送信されたダウンリンク信号１７６（図４において示される）に応答するよう、マイクロプロセッサ３０４に指示するための、ダウンリンクコード３１８を含む。図１４を参照すると、ダウンリンクコード３１８は、概略的に図示される。ダウンリンクコード３１８は、無線アンテナ３１６（図１３において示される）における、第一ダウンリンク無線チャネル１６０での、ダウンリンク信号（１７６）の受信に応じて（３２０）、あるいは、無線アンテナ（３１６）における、第二ダウンリンク無線チャネル１６２での、ダウンリンク信号（１７６）の受信に応じて（３２２）、開始する。ダウンリンクコード３１８は、３２０において開始する場合には、ブロック３２４に進む。ブロック３２４は、第一アップリンク無線チャネル１６４をアップリンク送信無線チャネルとして設定するために、一時メモリ３１０（図１３において示される）のアップリンク送信電波チャネルストア３２６を構成するよう、マイクロプロセッサ３０４（図１３において示される）に指示する。ブロック３２４のコードは、第一ダウンリンク無線チャネル１６０で受信されたダウンリンク信号に応じて、第一アップリンク無線チャネル１６４を、アップリンク送信無線チャネルとして設定するよう、マイクロプロセッサ（３０４）に指示する。したがって、第一アップリンク無線チャネル１６４は、第一ダウンリンク無線チャネル１６０と関連付けられる。
【００８５】
ダウンリンクコード３１８は、ブロック３２８に進む。ブロック３２８は、３２０又は３２２で受信されたダウンリンク信号（１７６）に応答するよう、マイクロプロセッサ（３０４）に指示する。例えば、３２０又は３２２で受信されたダウンリンク信号は、音声通信又は他のデータ送信のためのメッセージを含んでもよい。また、ブロック３２８のコードは、一般に、それに応じて、メッセージに応答するよう、マイクロプロセッサ（３０４）に指示する。
【００８６】
しかしながら、ダウンリンクコード３１８が３２２において開始する場合には、ダウンリンクコード３１８は、ブロック３３０に進む。ブロック３３０は、第二アップリンク無線チャネル１６６をアップリンク送信無線チャネルとして設定するために、アップリンク送信無線チャネルストア（３２６）を構成するよう、マイクロプロセッサ（３０４）に指示する。ブロック３３０のコードは、第二ダウンリンク無線チャネル１６２で受信したダウンリンク信号に応じて、第二アップリンク無線チャネル１６６をアップリンク送信無線チャネルとして設定するよう、マイクロプロセッサ（３０４）に指示する。従って、第二アップリンク無線チャネル１６６は、第二ダウンリンク無線チャネル１６２と関連付けられる。ダウンリンクコード３１８は、上述したように、ブロック３２８に進む。
【００８７】
図１３に戻ると、プログラムメモリ３０８は、一般に、アップリンク信号１９０（図６において示される）を送信するよう、マイクロプロセッサ３０４に指示するための、アップリンクコード３３２をさらに含む。図１５を参照すると、アップリンクコード３３２が、概略的に図示される。アップリンクコード３３２は、アップリンクメッセージの受信に応じて、３３４において開始する。３３４で受信されるアップリンクメッセージは、例えば、移動局（１３６）からの音声通信又は他のデータのためのアップリンクデータを含み得る。アップリンクコード３３２は、ブロック３３６に進む。ブロック３３６は、アップリンク送信無線チャネルストア３２６（図１３において示される）により特定される、アップリンク送信無線チャネルで、アップリンク信号（１９０）のメッセージフィールド１９４（図６において示される）において、３３４で受信されたアップリンクメッセージを含むアップリング信号（１９０）を送信するよう、マイクロプロセッサ３０４に指示する。次に、アップリンクコード３３２は、終了する。
【００８８】
図１３に戻って、プログラムメモリ３０８は、一般に、例えば、無線アンテナ３１６において、ブロック２０２（図７において示される）のコードに応じて、構成及び制御無線チャネル２０４で受信される構成信号２０６（図８において示される）に応答するよう、マイクロプロセッサ３０４に指示するための、構成コード３３８をさらに含む。図１６を参照すると、構成コード３３８が、概略的に図示される。構成コード３３８は、無線アンテナ（３１６）からの構成信号（２０６）の受信に応じて、３４０において開始する。構成コード３３８は、ブロック３４２に進む。ブロック３４２は、３４０で受信された構成信号２０６（図８において示される）の構成情報フィールド２０８からの構成情報を、構成メモリ３０６（図１３において示される）に保管するよう、マイクロプロセッサ３０４（図１３において示される）に指示する。
次に、構成コード３３８は、終了する。
【００８９】
図１７を参照すると、無線通信システム１００（図１において示される）において送受信される信号の例となるシーケンスが、概略的に図示される（一般的に、３４４と表す）。信号のシーケンス３４４は、基地局１０２が、ダウンリンクコード１６８（図３において示される）のブロック１７２のコードに応じて、第一ダウンリンク無線チャネル１６０で、第一メッセージ３４８を用いて符号化された、第一ダウンリンク信号３４６を送信したときに、開始する。無線信号リピータ１０６は、第一ダウンリンク信号３４６を受信する。そして、無線信号リピータ１０６は、ダウンリンクコード２２４の、ブロック２３０、２３４、２４４、２４８、２５４、２６０、２６２、及び、２６６か２６８の何れか（図１０において示される）に応じて、第二ダウンリンク無線チャネル１６２で、第一メッセージ３４８を用いて符号化された、第二ダウンリンク信号３５０を送信する。移動局１３６は、ダウンリンクコード３１８のブロック３３０及び３２８のコード（図１４において示される）に応じて、第二ダウンリンク信号３５０を受信する。移動局１３６は、アップリンクコード３３２のブロック３３６のコード（図１５において示される）に応じて、第二アップリンク無線チャネル１６６で、第二メッセージ３５４を用いて符号化された、第一アップリンク信号３５２を送信する。次に、無線信号リピータ１０６は、第一アップリンク信号３５２を受信する。そして、無線信号リピータ１０６は、アップリンクコード２７８（図１１において示される）に応じて、第一アップリンク無線チャネル１６４で、第二メッセージ３５４を用いて符号化された、第二アップリンク信号３５６を受信する。基地局１０２は、次に，アップリンクコード１８２（図５において示される）に応じて、第二アップリンク信号３５６を受信する。
【００９０】
要約すると、信号のシーケンス３４４において、無線信号リピータ１０６は：第一ダウンリンク無線チャネル１６０で、基地局１０２から、第一メッセージ３４８を用いて符号化された、第一ダウンリンク信号３４６を受信し；第一ダウンリンク信号３４６の受信後に、第二ダウンリンク無線チャネル１６２で、第一メッセージ３４８を用いて符号化された、第二ダウンリンク信号３５０を、移動局１３６へ送信し；第二アップリンク無線チャネル１６６で、移動局１３６から、第二メッセージ３５４を用いて符号化された、第一アップリンク信号３５２を受信し；第一アップリンク信号３５２の受信後に、第一アップリンク無線チャネル１６４で、第二メッセージ３５４を用いて符号化された、第二アップリンク信号３５６を送信する。
【００９１】
図１７において示される、代替となる実施形態は、基地局１０２が、第二ダウンリンク無線チャネル１６２で、第一メッセージ３４８を用いて符号化された、第三ダウンリンク信号３５８をさらに送信し、さらに、無線信号リピータ１０６が、第二ダウンリンク信号３５０を送信する前に、第三ダウンリンク信号３５８を受信する。しかしながら、この代替となる実施形態において、無線信号リピータ１０６は、第三ダウンリンク信号３５８（図１０において示されるブロック２３６で測定される）に対して、第一ダウンリンク信号３４６の、より高い信号対雑音比を（図１０において示されるブロック２３０で）測定する。従って、図１０において示されるブロック２４２において、無線信号リピータ１０６は、第一ダウンリンク無線チャネル１６０の第一ダウンリンク信号３４６が、第二ダウンリンク無線チャネル１６２の第三ダウンリンク信号３５８より強いと決定する。従って、ダウンリンクコード２２４は、この代替となる実施形態において、ブロック２４４、２４８、２５４、２６０、２６２及び、２６６又は２６８（図１０において示される）に進む。従って、この代替となる実施形態において、無線信号リピータ１０６は、第二無線信号（第二ダウンリンク信号３５０）を送信する前に、第二無線チャネル（第二ダウンリンク無線チャネル１６２）で、第一メッセージ３４８を用いて符号化された第五無線信号（第三ダウンリンク信号３５８）をさらに受信する。しかし、第一信号（第一ダウンリンク信号３４６）は、第五信号（第三ダウンリンク信号３５８）より強いため、ブロック２４２のコード（図１０において示される）は、無線信号リピータ１０６に、第二無線信号（第二ダウンリンク信号３５０）のために、第一チャネル（第一ダウンリンクチャネル１６０）の代わりに、第二無線チャネル（第二ダウンリンク無線チャネル１６２）を選択させる（図１０において示されるブロック２６０）。
【００９２】
図１に戻ると、移動局１３６もまた、無線チャネル１６０、１６２、１６４、１６６及び２０４で、無線信号リピータ１２０と無線通信し、例えば、干渉又は他の環境条件により、移動局１３６は、無線信号リピータ１０６との無線通信を失うことがあり、代わりに無線信号リピータ１２０からダウンリンク信号を受信し始めることがある。図１８を参照すると、移動局１３６が、無線信号リピータ１０６の代わりに、無線信号リピータ１２０から、ダウンリンク信号を受信した場合における、無線通信システム１００（図１において示される）で送受信される信号の、別の例となるシーケンスが、概略的に図示される（一般的に、３７４と表す）。信号のシーケンス３７４は、基地局１０２が、第一ダウンリンク無線チャネル１６０で、第一メッセージ３７８を用いて符号化された、第一ダウンリンク信号３７６を送信したときに、開始する。無線信号リピータ１０６は、第一ダウンリンク信号３４６を受信し、第二ダウンリンク無線チャネル１６２で、第一メッセージ３７８を用いて符号化された、第二ダウンリンク信号３８０を送信する。無線信号リピータ１２０は、第二ダウンリンク信号３７６を受信し、第一ダウンリンク無線チャネル１６０で、第一メッセージ３７８を用いて符号化された、第三ダウンリンク信号３８２を送信する。移動局１３６は、ダウンリンクコード３１８のブロック３２４及び３２８のコード（図１４において示される）に応じて、第三ダウンリンク信号３８２を受信する。移動局１３６は、次に、アップリンクコード３３２のブロック３３６のコード（図１５において示される）に応じて、第一アップリンク無線チャネル１６４で、第二メッセージ３８６を用いて符号化された、第一アップリンク信号３８４を送信する。次に、無線信号リピータ１２０は、第一アップリンク信号３８４を受信し、第二アップリンク無線チャネル１６６で、第二メッセージ３８６を用いて符号化された、第二アップリンク信号３８８を送信する。次に、無線信号リピータ１０６は、第二アップリンク信号３８８を受信し、第一アップリンク無線チャネル１６４で、第二メッセージ３８６を用いて符号化された、第三アップリンク信号３９０を送信する。基地局１０２は、次に，第三アップリンク信号３９０を受信する。
【００９３】
要約すると、信号のシーケンス３７４において、無線信号リピータ１２０は：無線信号リピータ１０６から、第二ダウンリンク信号３８０を受信し；第二ダウンリンク信号３８０の受信後に、第一ダウンリンク無線チャネル１６０で、第一メッセージ３７８を用いて符号化された、第三ダウンリンク信号３８２を、移動局１３６へと送信し；第二アップリンク信号３８８の送信前に、移動局１３６から、第二メッセージ３８６で符号化された、第一アップリンク信号３８４を受信する。
【００９４】
要約すると、図１７及び図１８を参照すると、信号のシーケンス３４４及び３７４において、移動局１３６は：第二ダウンリンク無線チャネル１６２で、無線信号リピータ１０６から、第二ダウンリンク信号３５０を受信し；第二ダウンリンク無線チャネル１６２と（図１４において示されるブロック３３０のコードにより）関連付けられた第二アップリンク無線チャネル１６６で、第一アップリンク信号３５２を、無線信号リピータ１０６へと送信し；第一ダウンリンク無線チャネル１６０で、無線信号リピータ１２０から、第三ダウンリンク信号３８２を受信し；第一ダウンリンク無線チャネル１６０と（図１４において示されるブロック３２４のコードにより）関連付けられた第一アップリンク無線チャネル１６４で、第一アップリンク信号３８４を、無線信号リピータ１２０へと送信する。
【００９５】
図１７及び図１８において示される、例となる実施形態において、無線信号リピータは、無線チャネル１６０、１６２、１６４及び１６６でのみ通信する。従って、そのような実施形態において、無線信号リピータは、移動局無線チャネル２５２において通信するよう構成される必要はない。従って、そのような実施形態において、ブロック２５４、２５６及び２７４（図１０において示される）は、省略され得る。
【００９６】
図１９を参照すると、無線通信システム１００（図１において示される）において送受信される信号の、別の例となるシーケンスが、概略的に図示される（一般的に、３６０と表す）。信号のシーケンス３６０は、基地局１０２が、第一ダウンリンク無線チャネル１６０で、第一メッセージ３６４を用いて符号化された、第一ダウンリンク信号３６２を送信したときに、開始する。示される実施形態において、第一ダウンリンク信号３６２の宛先識別子フィールド１７８（図４において示される）の宛先識別子は、移動局１３４を示す。図１において示されるように、移動局１３４は、移動局無線チャネル２５２を通じて、無線信号リピータ１０６と通信する。従って、無線信号リピータ１０６は、第一ダウンリンク信号３６２を受信し、さらに、図１０において示されるブロック２５４のコードに応じて、移動局無線チャネル２５２で、第一メッセージ３６４を用いて符号化された、第二ダウンリンク信号３６６を送信する。移動局１３４は、第二ダウンリンク信号３６６を受信し、後に、移動局無線チャネル２５２で、第二メッセージ３７０を用いて符号化された、第一アップリンク信号３６８を送信する。無線信号リピータ１０６は、第一アップリンク信号３６８を受信し、さらに、アップリンクコード２７８（図１１において示される）に応じて、第一アップリンク無線チャネル１６４で、第二メッセージ３７０を用いて符号化された、第二アップリンク信号３７２を送信する。基地局１０２は、次に、アップリンクコード１８２（図５において示される）に応じて、第二アップリンク信号３７２を受信する。
【００９７】
要約すると、例となる信号のシーケンス３６０において、無線信号リピータ１０６は：第一ダウンリンク無線チャネル１６０で、第一メッセージ３６４を用いて符号化された、第一ダウンリンク信号３６２を受信し；第一ダウンリンク信号３６２の受信後に、移動局無線チャネル２５２で、第一メッセージ３６４を用いて符号化された、第二ダウンリンク信号３６６を、移動局１３４へと送信し；移動局無線チャネル２５２で、第二メッセージ３７０を用いて符号化された、第一アップリンク信号３６８を、移動局１３４から受信し；第一アップリンク信号３６８の受信後に、第一アップリンク無線チャネル１６４で、第二メッセージ３７０を用いて符号化された、第二アップリンク信号３７２を、基地局１０２へと送信する。
【００９８】
例となる信号のシーケンス３６０において、移動局１３４は、移動局無線チャネル２５２で、無線信号リピータ１０６と通信する。従って、移動局１３４は、無線信号リピータ１０６の、マイクロセル、ピコセル又はフェムトセルの中にあるとみなすことができる。示される実施形態において、無線信号リピータ１０４、１０６、１０８、１１０、１１２、１１４、１１６、１１８、１２０、１２２、１２４、１２６、１２８、１３０及び１３２は、それぞれ、そのようなマイクロセル、ピコセル又はフェムトセルを確立することができる。
【００９９】
図１に戻ると、移動局１４０は、移動局無線チャネル２５２で、無線信号リピータ１１８と無線通信する。示される実施形態において、１９８（図７において示される）で受信され、構成情報フィールド２０８（図９において示される）の中で送信される構成情報は、例えば、それぞれ異なる、移動局無線チャネル２５２のサブチャネルで、無線信号リピータ１０６及び１１８と無線通信すべき、移動局１３４及び１４０を構成することができる。より一般的には、示される実施形態において、構成情報は、移動局無線チャネル２５２の様々なサブチャネルを、無線信号リピータ１０４、１０６、１０８、１１０、１１２、１１４、１１６、１１８、１２０、１２２、１２４、１２６、１２８、１３０及び１３２のそれぞれと関連付けることができる。そして、それらの無線信号リピータの一つと通信する、一つ以上の移動局は、無線信号リピータと関連付けられたサブチャネルと、さらに関連付けられ得る。これらの異なるサブチャネルは、例えば、移動局無線チャネル２５２について、隣接する無線信号リピータからの送信における干渉を減少させるために、好都合である。
【０１００】
構成情報は、移動局無線チャネル２５２のサブチャネルを、無線チャネル１６０、１６２、１６４及び１６６のうちのそれぞれの中の、それぞれのサブチャネルとさらに関連付けてもよい。そのような構成において、ブロック１７２及び１７４（図３において示される）のコードと、ブロック２６６及び２６８（図１０において示される）コードは、ダウンリンク信号１７８（図４において示される）を、ダウンリンク信号の宛先移動局と関連付けられた、第一及び第二ダウンリンク無線チャネル１６０及び１６２の、それぞれのサブチャネルにおいて、送信する。そして、ブロック２９２及び２９４（図１１において示される）のコードと、ブロック３３６（図１５において示される）のコードは、アップリンク信号１９０（図６において示される）を、アップリンク信号の発信元移動局と関連付けられた、第一及び第二アップリンク無線チャネル１６４及び１６６の、それぞれのサブチャネルにおいて、送信する。さらに、そのような構成において、宛先識別子フィールド１７８（図４において示される）及び発信元識別子フィールド１９２（図６において示される）は省略されてもよい。なぜなら、信号の宛先又は発信元は、ダウンリンク信号（１７８）又はアップリンク信号（１９０）のサブチャネルによって識別され得るためである。また、ブロック２５４及び２７４（図１０において示される）のコードは、２２６又は２２８（図１０において示される）で受信された送信ダウンリンク信号（１７８）のサブチャネルを識別することにより、信号が、移動局無線チャネル２５２に対して指定されたかどうかを決定することができる。
【０１０１】
図２０を参照すると、別の例となる、無線通信システム１００（図１において示される）において送受信される信号のシーケンスが、概略的に図示される（一般的に、３９２と表す）。信号のシーケンス３９２は、基地局１０２が、移動局１３４と関連付けられる、第一ダウンリンク無線チャネル１６０のサブチャネルにおいて、第一ダウンリンク信号３９４を送信したときに、開始する。無線信号リピータ１０６は、第一ダウンリンク信号３９４を受信し、さらに、移動局１３４と関連付けられた、移動局無線チャネル２５２のサブチャネルで、第二ダウンリンク信号３９６を、移動局１３４へと送信する。後に、移動局１３４は、移動局１３４と関連付けられた、移動局無線チャネル２５２のサブチャネルで、第一アップリンク信号３９８を送信する。また、無線信号リピータ１０６は、第一アップリンク信号３９８を受信し、さらに、移動局１３４と関連付けられた、第一アップリンク無線チャネル１６２のサブチャネルで、第二アップリンク信号４００を、基地局１０２へと送信する。
【０１０２】
後に、信号のシーケンス３９２において、基地局１０２は、移動局１４０と関連付けられた、第一ダウンリンク無線チャネル１６０のサブチャネルで、第三ダウンリンク信号４０２を送信する。無線信号リピータ１０６は、第三ダウンリンク信号４０２を受信し、さらに、移動局１４０と関連付けられた、第二ダウンリンク無線チャネル１６２のサブチャネルで、第四ダウンリンク信号４０４を送信する。無線信号リピータ１１８は、第四ダウンリンク信号４０４を受信し、さらに、移動局１４０と関連付けられた、移動局無線チャネル２５２のサブチャネルで、第五ダウンリンク信号４０６を、移動局１４０へ送信する。後に、移動局１４０は、移動局１４０と関連付けられた、移動局無線チャネル２５２のサブチャネルで、第三アップリンク信号４０８を送信する。無線信号リピータ１１８は、第三アップリンク信号４０８を受信し、さらに、移動局１４０と関連付けられた、第二アップリンク無線チャネル１６６のサブチャネルで、第四アップリンク信号４１０を送信する。無線信号リピータ１０６は、第四アップリンク信号４１０を受信し、さらに、移動局１４０と関連付けられた、第一アップリンク無線チャネル１６４のサブチャネルで、第五アップリンク信号４１２を送信する。
【０１０３】
無線通信システム１００は、例えば、ＥＨＦ周波数のような、より高い無線周波数における通信を可能にし、そのような高い無線周波数において利用可能な、より大きな動作帯域幅を、好都合に、可能にする。実際には、無線通信システム１００の基地局１０２は、単に低い無線周波数を利用する、既存の基地局を置き換えることができ、その結果、既存の基地局をアップグレードし、より大きな動作帯域幅を提供する。さらに、上述した無線信号リピータは、好都合に、共に近接して配置することができる。高い無線周波数の短い距離に適応することが要求され、アップリンク信号のための少なくとも二つの異なるチャネルと、少なくとも二つの異なるチャネルのダウンリンク信号が、信号間の干渉を、好都合に低減し得るためである。様々な実施形態が記載され、説明されたが、そのような実施形態は、単に例示的なものであるとみなされるべきであり、添付されるクレームに従って解釈される発明を限定するものとみなされるべきではない。
【図１】
2013506320.tif 000003
【図２】
2013506320.tif 000004
【図３】
2013506320.tif 000005
【図４】
2013506320.tif 000006
【図５】
2013506320.tif 000007
【図６】
2013506320.tif 000008
【図７】
2013506320.tif 000009
【図８】
2013506320.tif 000010
【図９】
2013506320.tif 000011
【図１０】
2013506320.tif 000012
【図１１】
2013506320.tif 000013
【図１２】
2013506320.tif 000014
【図１３】
2013506320.tif 000015
【図１４】
2013506320.tif 000016
【図１５】
2013506320.tif 000017
【図１６】
2013506320.tif 000018
【図１７】
2013506320.tif 000019
【図１８】
2013506320.tif 000020
【図１９】
2013506320.tif 000021
【図２０】
2013506320.tif 000022
【国際調査報告】
2013506320.tif 000023
2013506320.tif 000024
2013506320.tif 000025